(57)【要約】【課題】浄化装置の温度を適切に保つ。【解決手段】エンジンが配置されるエンジン室と浄化装置が配置される浄化室とを仕切る仕切り部材３０の底板３５に、エンジン室と浄化室とを連通させる一対の開口３５ｘが形成されている。各開口３５ｘには、扉３６が取り付けられている。各扉３６は、上辺の中央近傍において蝶番３７を介して底板３５に取り付けられており、エンジン室に配置されたファンが発生させた風（エンジン室を経由して浄化室に向かう風）によって、上辺に沿った軸を中心として揺動し、開口３５ｘに対して移動する。扉３６が浄化室に向かって開き、扉３６の開度が大きくなると、エンジン室と浄化室との連通度が増大し、浄化室に送り込まれる風の量が増加する。一方、扉３６の開度が小さくなると、エンジン室と浄化室との連通度が減少し、浄化室に送り込まれる風の量が減少する。【選択図】図３
2017053282.tif 000002
【特許請求の範囲】
【請求項１】
エンジンと、
前記エンジンが配置されるエンジン室と、
前記エンジンの排気系に配置され、前記エンジンの排気ガスに含まれる粒子状物質を捕集するフィルタを有する浄化装置と、
前記エンジン室と仕切り部材を介して仕切られ、前記浄化装置が配置される浄化室と、
前記エンジン室及び前記浄化室の外部から前記エンジン室を経由して前記浄化室に向かう風を発生させる送風部と、
前記エンジン室を経由して前記浄化室に向かう風の量を調整する風量調整部とを備えたことを特徴とする、作業機械。
【請求項２】
前記風量調整部は、前記仕切り部材に形成された前記エンジン室と前記浄化室とを連通させる開口に移動可能に取り付けられ、前記開口に対して移動することで前記開口を介した前記エンジン室と前記浄化室との連通度を調整可能な移動部材を含むことを特徴とする、請求項１に記載の作業機械。
【請求項３】
前記移動部材は、前記エンジン室を経由して前記浄化室に向かう風によって前記開口に対して移動するように構成されていることを特徴とする、請求項２に記載の作業機械。
【請求項４】
前記移動部材は、前記エンジン室を経由して前記浄化室に向かう風の方向に開き、前記風の方向とは逆の方向に開かいないように構成された扉であることを特徴とする、請求項３に記載の作業機械。
【請求項５】
前記移動部材は、前記エンジン室を経由して前記浄化室に向かう風の量が所定量以下の場合に前記開口を閉塞するように構成されていることを特徴とする、請求項３又は４に記載の作業機械。
【請求項６】
前記浄化装置は、前記開口が形成された前記仕切り部材から離隔して配置されていることを特徴とする、請求項２〜５のいずれか一項に記載の作業機械。
【請求項７】
前記風量調整部は、前記エンジンとは別の駆動源によって駆動される送風機構を含むことを特徴とする、請求項１〜６のいずれか一項に記載の作業機械。
【請求項８】
前記浄化室内の温度を示す検知信号を出力する温度センサと、
前記温度センサからの前記検知信号に基づいて前記風量調整部を制御する制御部とをさらに備えたことを特徴とする、請求項１〜７のいずれか一項に記載の作業機械。
【請求項９】
前記浄化室は、前記エンジン室を経由して前記浄化室に向かう風の方向と直交する断面において、全周が前記仕切り部材によって覆われていることを特徴とする、請求項１〜８のいずれか一項に記載の作業機械。
【発明の詳細な説明】
【技術分野】
【０００１】
本発明は、エンジンの排気ガスに含まれる粒子状物質を捕集するフィルタを有する浄化装置を備えた作業機械に関する。
【背景技術】
【０００２】
特許文献１，２には、ＤＰＦ（Diesel Particulate Filter：ディーゼルエンジンの排気ガスに含まれる粒子状物質を捕集するフィルタ）装置（本発明の「浄化装置」に該当する。）を備えた作業車両が開示されている。ＤＰＦ装置等の浄化装置は、フィルタに捕集された粒子状物質を焼却除去することで、捕集能力を回復させること（以下、「再生」という。）が可能となっている。このため、浄化装置は高温になり易い。
【０００３】
浄化装置が高温になると、浄化装置又はその周辺に設けられたセンサ等の機器に不具合が生じ得る。そこで特許文献１では、エンジンに冷却風を送る冷却ファンからの冷却風の一部が通過する場所に、浄化装置であるＤＰＦ装置を設け、ＤＰＦ装置の温度上昇を抑制することを提案している。
【０００４】
一方、特許文献１の構成を採用した場合や、外気温が低い場合において、浄化装置が低温になると、再生時に必要となるエンジンへの負荷や燃料の噴射量が大きくなるという問題や、再生に時間がかかるという問題が生じ得る。そこで特許文献２では、浄化装置であるＤＰＦ装置をカバーで被覆してＤＰＦ装置に冷却風が当らないようにし、ＤＰＦ装置の温度低下を抑制することを提案している。
【先行技術文献】
【特許文献】
【０００５】
【特許文献１】特開２０１１−１２６４８８号公報
【特許文献２】特開２０１３−１７３４２８号公報
【発明の概要】
【発明が解決しようとする課題】
【０００６】
特許文献１の技術では、浄化装置の温度が低くなり、再生時に必要となるエンジンへの負荷や燃料の噴射量が大きくなるという問題や、再生に時間がかかるという問題が生じ得る。一方、特許文献２の技術では、逆に、浄化装置の温度が高くなり、浄化装置又はその周辺に設けられたセンサ等の機器に不具合が生じ得る。
【０００７】
本発明の目的は、浄化装置の温度を適切に保つことができる作業機械を提供することである。
【課題を解決するための手段】
【０００８】
本発明の観点によると、エンジンと、前記エンジンが配置されるエンジン室と、前記エンジンの排気系に配置され、前記エンジンの排気ガスに含まれる粒子状物質を捕集するフィルタを有する浄化装置と、前記エンジン室と仕切り部材を介して仕切られ、前記浄化装置が配置される浄化室と、前記エンジン室及び前記浄化室の外部から前記エンジン室を経由して前記浄化室に向かう風を発生させる送風部と、前記エンジン室を経由して前記浄化室に向かう風の量を調整する風量調整部とを備えたことを特徴とする、作業機械が提供される。
【０００９】
上記構成によれば、送風部が発生させた風によって浄化装置の温度上昇を抑制することができると共に、風量調整部によって当該風の量を調整することで浄化装置の温度低下を抑制することもできる。したがって、浄化装置の温度が低くなり過ぎること及び高くなり過ぎることを共に抑制することができ、浄化装置の温度を適切に保つことができる。
【００１０】
前記風量調整部は、前記仕切り部材に形成された前記エンジン室と前記浄化室とを連通させる開口に移動可能に取り付けられ、前記開口に対して移動することで前記開口を介した前記エンジン室と前記浄化室との連通度を調整可能な移動部材を含んでよい。当該構成によれば、比較的簡素な構成で風量を調整することができる。
【００１１】
前記移動部材は、前記エンジン室を経由して前記浄化室に向かう風によって前記開口に対して移動するように構成されてよい。当該構成によれば、移動部材が風によって移動するため、移動部材を移動させるための移動機構や駆動源を設ける必要がなく、部品点数の低減（即ち、構成の簡素化）を実現することができる。
【００１２】
前記移動部材は、前記エンジン室を経由して前記浄化室に向かう風の方向に開き、前記風の方向とは逆の方向に開かいないように構成された扉であってよい。当該構成によれば、外部からの風雨が浄化室に侵入したとしても、浄化室からエンジン室に向けて扉が開かず、エンジン室への雨水侵入を防止することができる。
【００１３】
前記移動部材は、前記エンジン室を経由して前記浄化室に向かう風の量が所定量以下の場合に前記開口を閉塞するように構成されてよい。当該構成によれば、風量が所定量以下の場合に、移動部材が開口を閉塞し、エンジン室への雨水侵入を防止することができる。
【００１４】
前記浄化装置は、前記開口が形成された前記仕切り部材から離隔して配置されてよい。当該構成によれば、浄化装置の熱が浄化室からエンジン室に逆流するのを防止することができる。
【００１５】
前記風量調整部は、前記エンジンとは別の駆動源によって駆動される送風機構を含んでよい。当該構成によれば、送風機構によって、エンジンの回転数の影響を受けることなく、適切な量の風を送ることができる。
【００１６】
本発明に係る作業機械は、前記浄化室内の温度を示す検知信号を出力する温度センサと、前記温度センサからの前記検知信号に基づいて前記風量調整部を制御する制御部とをさらに備えてよい。当該構成によれば、浄化室内の温度に応じて積極的に制御を行うことで、より確実に、浄化装置の温度を適切に保つことができる。
【００１７】
前記浄化室は、前記エンジン室を経由して前記浄化室に向かう風の方向と直交する断面において、全周が前記仕切り部材によって覆われてよい。浄化室及びエンジン室への雨水侵入防止等のために、このような構成を採用する場合がある。この構成の場合、特に、浄化室に熱が籠りやすく、浄化装置が高温になって、浄化装置又はその周辺に設けられたセンサ等の機器に不具合が生じ易くなる。しかし本発明によれば、風量調整部によって風の量を調整することで、浄化装置の温度を適切に保つことが可能であることから、雨水侵入防止のために上記のような構成を採用しても、浄化装置又はその周辺に設けられたセンサ等の機器に不具合が生じ難い。
【発明の効果】
【００１８】
本発明によれば、送風部が発生させた風によって浄化装置の温度上昇を抑制することができると共に、風量調整部によって当該風の量を調整することで浄化装置の温度低下を抑制することもできる。したがって、浄化装置の温度が低くなり過ぎること及び高くなり過ぎることを共に抑制することができ、浄化装置の温度を適切に保つことができる。
【図面の簡単な説明】
【００１９】
【図１】本発明の一実施形態に係るクレーンを示す概略側面図である。
【図２】図１に示す矢印ＩＩ方向から見た背面図である。
【図３】図１に示す矢印ＩＩＩ方向から見た部分正面図である。
【図４】本発明の一実施形態に係るクレーンの電気的構成の一部を示すブロック図である。
【発明を実施するための形態】
【００２０】
本発明の一実施形態に係るクレーン１は、図１に示すように、移動式クレーンであって、前方に運転室５、後方にエンジン室１０が設けられている。運転室５及びエンジン室１０は、それぞれ筐体によって画定されている。また、エンジン室１０を画定する筐体内の後方上部には、浄化室２０が設けられている。浄化室２０は、エンジン室１０と仕切り部材３０を介して仕切られている。
【００２１】
エンジン室１０には、ディーゼルエンジン（以下、単に「エンジン」という。）１１、ファン１２、ラジエータ１３、動力分配装置１４、及び、作業装置（例えば、油圧ポンプ）１５が配置されている。ラジエータ１３は、エンジン１１の冷却水を冷却する。動力分配装置１４は、エンジン１１の駆動力を作業装置１５に分配する。
【００２２】
ファン１２は、エンジン１１の駆動軸１１ｘに取り付けられており、エンジン１１の駆動と共に回転し、図１に太矢印で示すように、エンジン室１０前方の壁に形成された吸気口１９から外気を吸い込み、当該外気をエンジン室１０に送り込む。エンジン室１０に送り込まれた外気の一部は、上方に移動して、浄化室２０に送り込まれ、浄化室２０を通過した後、浄化室２０の後方から排出される。また、エンジン室１０に送り込まれた外気の一部は、エンジン室１０の後方及び下方の壁にそれぞれ形成された排気口（図示略）から排出される。即ち、ファン１２は、本発明に係る「送風部」に該当するものであり、エンジン室１０及び浄化室２０の外部からエンジン室１０を経由して浄化室２０に向かう風を発生させる。当該風によって、ラジエータ１３、エンジン１１、さらに浄化室２０に配置された各要素が冷却される。また、本実施形態では、ファン１２がエンジン１１の駆動軸１１ｘに取り付けられていることから、ファン１２が発生させる風の量はエンジン１１の回転数に比例し、エンジン１１の回転数が高いほど風の量が多くなり、エンジン１１の回転数が低いほど風の量が少なくなる。
【００２３】
浄化室２０には、浄化装置２１及びファン２２が配置されている。
【００２４】
浄化装置２１は、ＤＰＦ（Diesel Particulate Filter：ディーゼルエンジンの排気ガスに含まれる粒子状物質を捕集するフィルタ）装置であって、第１処理部２１ａ及び第２処理部２１ｂを有する。第１処理部２１ａは、排気ガスに含まれる窒素酸化物を分解するための触媒を含む。第２処理部２１ｂは、フィルタ２１ｆを含む。浄化装置２１は、エンジン１１の排気管１１ｙに接続されている。浄化装置２１は、排気管１１ｙと一体的に設けられ、排気管１１ｙと共にエンジン１１の排気系を構成している（即ち、エンジン１１の排気系に配置されている）。
【００２５】
浄化装置２１は、フィルタ２１ｆに捕集された粒子状物質を焼却除去することで、捕集能力を回復させること（以下、「再生」という。）が可能となっている。再生時には、例えば、エンジン１１に負荷をかけることでエンジン１１の排気ガスの温度を上昇させ、高温の排気ガスがフィルタ２１ｆを通過するようにする。この際、フィルタ２１ｆに燃料を噴射して燃料を燃焼させることで、排気ガスの温度をさらに上昇させてもよい。フィルタ２１ｆに捕集されている粒子状物質は、高温の排気ガスによって焼き飛ばされ、フィルタ２１ｆから除去される。
【００２６】
ファン２２は、本発明に係る「風量調整部」及び「送風機構」に該当するものであり、その回転方向によって、エンジン室１０を経由して浄化室２０に向かう風の量を増大させること、及び、エンジン室１０を経由して浄化室２０に向かう風の量を減少させることを、選択的に行うことが可能である。ファン２２は、エンジン１１とは別の駆動源（電動モータ、油圧モータ、空圧モータ等）によって駆動される。ファン２２の駆動制御については、後に詳述する。
【００２７】
仕切り部材３０は、有底角筒状であって、図１及び図２に示すように、浄化室２０の上方に配置された上板３１、浄化室２０の下方に配置された下板３２、浄化室２０の側方（左右両側：図１〜図３では、運転室５に前方を向いて乗車した作業者から見た方向を示している。）に配置された側板３３，３４、及び、浄化室２０の前方に配置された底板３５を含む。つまり、浄化室２０は、前後方向と直交する断面（図２参照）において、全周が仕切り部材３０によって覆われている。浄化室２０の後方は、仕切り部材３０がなく、開口しており、外部と連通している。
【００２８】
底板３５は、仕切り部材３０の板３１〜３５のうち、ファン１２が発生させる風（エンジン室１０を経由して浄化室２０に向かう風）の方向に関して最も上流（以下、エンジン室１０を経由して浄化室２０に向かう風の方向の「上流」「下流」を単に「上流」「下流」という。）に位置する。また、底板３５は、当該風の方向と交差する方向に延在している。
【００２９】
底板３５には、図３に示すように、エンジン室１０と浄化室２０とを連通させる一対の開口３５ｘが形成されている。各開口３５ｘには、扉３６が移動可能に取り付けられている。
【００３０】
各扉３６は、本発明に係る「風量調整部」及び「移動部材」に該当するものであり、各開口３５ｘに対して移動することで、開口３５ｘを介したエンジン室１０と浄化室２０との連通度を調整可能である。各扉３６は、ファン１２が発生させる風（エンジン室１０を経由して浄化室２０に向かう風）によって、各開口３５ｘに対して移動するように構成されている。
【００３１】
各扉３６は、ファン１２が発生させる風の方向（エンジン室１０から浄化室２０に向かう方向。本実施形態では、後方）に開き、当該風の方向とは逆の方向（浄化室２０からエンジン室１０に向かう方向。本実施形態では、前方）に開かいないように構成されている。具体的には、各扉３６は、底板３５における浄化室２０と対向する面において、各開口３５ｘの上辺の中央近傍に、蝶番３７を介して取り付けられている。各扉３６は、その上辺の中央一か所においてのみ蝶番３７を介して底板３５と連結し、それ以外の部分は底板３５と連結してない。これにより、各扉３６は、その上辺に沿った軸を中心として、浄化室２０に向けて揺動可能となっている。
【００３２】
各扉３６は、各開口３５ｘと略同じサイズ及び形状を有し、ファン１２が発生させる風（エンジン室１０を経由して浄化室２０に向かう風）の量が所定量（例えば、ゼロ）以下の場合に、上下方向に延在し、各開口３５ｘを閉塞する。各扉３６は、当該風の量が所定量を超えた場合に、その上辺に沿った軸を中心として揺動し、浄化室２０に向かって開く。さらに当該風の量が増加するにつれて、各扉３６の開度が大きくなり、エンジン室１０と浄化室２０との連通度が増大して、浄化室２０に送り込まれる風の量が増加する。一方、当該風の量が減少すると、各扉３６の開度が小さくなり、エンジン室１０と浄化室２０との連通度が減少して、浄化室２０に送り込まれる風の量が減少する。そして当該風の量が所定量以下になると、各扉３６は、上下方向に延在し、各開口３５ｘを閉塞する。このとき、浄化室２０には風が送り込まれない。このような扉３６の開閉動作によって、エンジン室１０を経由して浄化室２０に向かう風の量が調整される。
【００３３】
上記のような扉３６の開閉動作は、扉３６の重量等を調整することで、実現可能である。また、浄化装置２１及びファン２２は、上記のような扉３６の開閉動作を妨害しないように、前後方向に関して底板３５から離隔して配置されている。
【００３４】
エンジン１１の回転数が高い場合、排気ガスが高温になり、浄化室２０内が高温になり得る。この場合、エンジン１１の回転数が高いため、ファン１２が発生させる風の量が大きい。したがって、扉３６の開度が大きく、エンジン室１０と浄化室２０との連通度が大きくなって、浄化室２０に大量の風が送り込まれる。これにより、浄化室２０（さらに、浄化室２０に配置された各要素）の温度上昇が抑制される。
【００３５】
一方、エンジン１１の回転数が低い場合、ファン１２が発生させる風の量が小さい。そのため、扉３６の開度が小さく、エンジン室１０と浄化室２０との連通度が小さくなって、浄化室２０に少量の風が送り込まれるか又は風が送り込まれない。したがって、浄化室２０が過度に冷却されることはない。つまり、浄化室２０の温度低下が抑制される。この場合に再生を行えば、再生時に必要となるエンジン１１への負荷や燃料の噴射量が大きくなるという問題や、再生に時間がかかるという問題を軽減できる。
【００３６】
なお、各扉３６を閉塞位置（開口３５ｘを閉塞する位置）に固定するため、固定部３８が設けられている。固定部３８は、各扉３６に設けられており、扉３６の下辺中央に取り付けられた電磁石３８ａ、及び、底板３５における開口３５ｘの下辺中央に取り付けられた磁性体３８ｂを含む。制御部５０（図４参照）による制御の下、各扉３６が閉塞位置にあるときに電磁石３８ａが通電されると、電磁石３８ａと磁性体３８ｂとの吸着によって、各扉３６が閉塞位置に固定される。これにより、エンジン１１の回転数（ファン１２が発生させる風の量）によらず、扉３６が開かないようにする（即ち、浄化室２０に風が送り込まれないようにする）ことができる。
【００３７】
浄化室２０には、さらに、図２に示すように、温度センサ２５及び差圧センサ２６が配置されている。
【００３８】
温度センサ２５は、浄化装置２１の筐体の側面に取り付けられており、浄化室２０内の温度を示す検知信号を出力する。
【００３９】
制御部５０（図４参照）は、温度センサ２５が出力した検知信号を受信し、当該検知信号に基づく温度が第１所定温度を超えた場合に、エンジン室１０を経由して浄化室２０に向かう風の量を増大させるように、ファン２２を駆動させる。制御部５０は、当該検知信号に基づく温度の上昇に応じて、ファン２２の回転数を増加させ、エンジン室１０を経由して浄化室２０に向かう風の量をさらに増大させる。これにより、浄化室２０（さらに、浄化室２０に配置された各要素）の温度上昇が抑制される。また、制御部５０（図４参照）は、当該検知信号に基づく温度の下降に応じて、ファン２２の回転数を減少させたり、ファン２２の駆動を停止させたり、ファン２２の回転方向を逆方向に切り替えたりすることで、エンジン室１０を経由して浄化室２０に向かう風の量を減少させる。これにより、浄化室２０（さらに、浄化室２０に配置された各要素）の温度低下が抑制される。
【００４０】
差圧センサ２６は、排気管１１ｙにおける浄化装置２１との接続部近傍と、チューブ２６ｔを介して接続されている。差圧センサ２６は、フィルタ２１ｆの上流側の圧力（排気管１１ｙにおける浄化装置２１との接続部近傍の圧力）とフィルタ２１ｆの下流側の圧力（大気圧）との差を示す検知信号を出力する。当該圧力差に基づいて、フィルタ２１ｆに捕集されている粒子状物質の量を推測することができる。
【００４１】
制御部５０（図４参照）は、差圧センサ２６が出力した検知信号を受信し、当該検知信号に基づく圧力差が所定値を超えた場合に、フィルタ２１ｆに捕集されている粒子状物質の量が所定量を超えたと判断して、再生処理を開始する。また、制御部５０は、再生処理中に、温度センサ２５が出力した検知信号に基づく温度が第２所定温度（＞第１所定温度）を超えた場合、再生処理を終了する。これにより、浄化室２０に配置された各要素（例えば、センサ２５，２６等の機器）の過熱による不具合が抑制される。
【００４２】
以上に述べたように、本実施形態によれば、ファン１２が発生させた風によって浄化装置２１の温度上昇を抑制することができると共に、扉３６及びファン２２によって当該風の量を調整することで浄化装置２１の温度低下を抑制することもできる。したがって、浄化装置２１の温度が低くなり過ぎること及び高くなり過ぎることを共に抑制することができ、浄化装置２１の温度を適切に保つことができる。
【００４３】
エンジン室１０を経由して浄化室２０に向かう風の量を調整する風量調整部として、本実施形態では、仕切り部材３０の底板３５に形成されたエンジン室１０と浄化室２０とを連通させる開口３５ｘに移動可能に取り付けられ、開口３５ｘに対して移動することで開口３５ｘを介したエンジン室１０と浄化室２０との連通度を調整可能な、移動部材（扉３６）を設けている。当該構成によれば、比較的簡素な構成で風量を調整することができる。
【００４４】
扉３６は、エンジン室１０を経由して浄化室２０に向かう風によって開口３５ｘに対して移動するように構成されている。当該構成によれば、扉３６が風によって移動するため、扉３６を移動させるための移動機構や駆動源を設ける必要がなく、部品点数の低減（即ち、構成の簡素化）を実現することができる。
【００４５】
扉３６は、エンジン室１０を経由して浄化室２０に向かう風の方向に開き、当該風の方向とは逆の方向に開かいないように構成されている。当該構成によれば、外部からの風雨が浄化室２０に侵入したとしても、浄化室２０からエンジン室１０に向けて（即ち、上記逆の方向に）扉３６が開かず、エンジン室１０への雨水侵入を防止することができる。
【００４６】
扉３６は、エンジン室１０を経由して浄化室２０に向かう風の量が所定量以下の場合に開口３５ｘを閉塞するように構成されている。当該構成によれば、風量が所定量以下の場合に、扉３６が開口３５ｘを閉塞し、エンジン室１０への雨水侵入を防止することができる。
【００４７】
浄化装置２１は、開口３５ｘが形成された底板３５から離隔して配置されている。当該構成によれば、浄化装置２１の熱が浄化室２０からエンジン室１０に逆流するのを防止することができる。
【００４８】
エンジン室１０を経由して浄化室２０に向かう風の量を調整する風量調整部として、本実施形態では、さらに、エンジン１１とは別の駆動源によって駆動されるファン２２を設けている。当該構成によれば、ファン２２によって、エンジン１１の回転数の影響を受けることなく、適切な量の風を送ることができる。
【００４９】
クレーン１は、温度センサ２５からの検知信号に基づいてファン２２を制御する制御部５０を備えている。当該構成によれば、浄化室２０内の温度に応じて積極的に制御を行うことで、より確実に、浄化装置２１の温度を適切に保つことができる。
【００５０】
浄化室２０は、エンジン室１０を経由して浄化室２０に向かう風の方向と直交する断面において、全周が仕切り部材３０によって覆われている。浄化室２０及びエンジン室１０への雨水侵入防止等のために、このような構成を採用する場合がある。この構成の場合、特に、浄化室２０に熱が籠りやすく、浄化装置２１が高温になって、浄化装置２１又はその周辺に設けられたセンサ２５，２６等の機器に不具合が生じ易くなる。しかし本実施形態によれば、扉３６やファン２２によって風の量を調整することで、浄化装置２１の温度を適切に保つことが可能であることから、雨水侵入防止のために上記のような構成を採用しても、浄化装置２１又はその周辺に設けられたセンサ２５，２６等の機器に不具合が生じ難い。
【００５１】
以上、本発明の好適な実施の形態について説明したが、本発明は上述の実施形態に限られるものではなく、例えば以下のように、特許請求の範囲に記載した限りにおいて様々な設計変更が可能なものである。
【００５２】
・本発明に係る作業機械は、クレーンに限定されず、例えばショベルであってもよい。また、本発明に係る作業機械は、クレーンやショベル等の建設用作業機械に限定されず、例えばトラクターやコンバイン等の農業用作業機械にも適用可能である。
・エンジンは、ディーゼルエンジンに限定されず、例えばガソリンエンジンであってもよい。
・浄化室は、エンジン室の上方に限定されず、例えばエンジン室の側方や後方に配置されてもよい。
・浄化装置は、上述の実施形態では上流側に触媒・下流側にフィルタを有する構成であるが、これに限定されず、様々な構成であってよい。例えば、浄化装置は、上流側にフィルタ・下流側に触媒を有する構成であってもよいし、フィルタのみを有する構成であってもよい。さらに、浄化装置は、１のフィルタを有することに限定されず、複数のフィルタを有してよい。複数のフィルタを有する構成において、１のフィルタの捕集能力が低下した場合に、別のフィルタで粒子状物質を捕集するようフィルタの切換えを行い、別のフィルタを用いている間に上記１のフィルタの再生を行ってよい。
・送風部は、エンジンの駆動に伴い駆動されることに限定されず、エンジンとは別の駆動源によって駆動されてよもよい。
・開口及び移動部材の数は、任意であり、１つ又は３以上であってもよい。また、１つの開口に対して複数の移動部材を設けてもよい。
・移動部材は、浄化装置の上流側及び下流側のいずれに配置されてもよい。
・移動部材は、風の量が所定量以下の場合に、開口を完全に閉塞しなくてもよい（移動部材と仕切り部材との間に隙間があり、当該隙間を介してエンジン室と浄化室とが連通してもよい）。
・移動部材は、エンジン室を経由して浄化室に向かう風の方向及び当該風の方向とは逆の方向の両方向に開いてもよい。
・移動部材は、上述の実施形態のように揺動する形態に限定されず、開口が形成された仕切り部材の面と平行な方向にスライドする形態であってもよい。
・移動部材は、送風部が発生させた風によって開口に対して移動することに限定されず、制御部による制御によって開口に対して移動してもよい（例えば、制御部は、温度センサからの検知信号に基づいて、移動部材の駆動を制御してよい）。
・送風機構は、移動部材の上流側及び下流側のいずれに配置されてもよく、また、浄化装置の上流側及び下流側のいずれに配置されてもよく、さらに、浄化室の内部及び外部のいずれに配置されてもよい。
・送風機構は、エンジン室を経由して浄化室に向かう風の量を増大させる機能及び減少させる機能のいずれかのみを有してもよい。
・風量調整部は、移動部材及び送風機構のいずれか一方のみを含んでもよい。また、風量調整部は、エンジン室を経由して浄化室に向かう風の量を調整することが可能である限りは、移動整部材や送風機構に限定されず、エンジン室を経由して浄化室に向かう風の経路に設けられたバルブ等、任意の構成であってよい。
・温度センサは、浄化装置の筐体内に配置されてもよい。また、温度センサは、浄化室に配置されることに限定されず、例えばエンジン室（ファン１２の近傍等）、ボンネットの外面、等に配置されてもよい。
・温度センサや差圧センサを省略してもよい。
・風量調整部を制御する制御部は、エンジン等の駆動を制御してもよい。
・再生処理を開始するタイミングは、任意に決定されてよく、上述の実施形態のように差圧センサからの検知信号に基づいて決定されることに限定されない。例えば、エンジンの作動時間から排気ガス中の粒子状物質の量を推測すると共に、再生処理を行った時間から焼却除去された粒子状物質の量を推測し、これらの差を求めることで、その時点でフィルタに捕集されている粒子状物質の量を推測し、その量が所定量を超えたと判断された場合に、再生処理を開始してもよい。
【符号の説明】
【００５３】
１  クレーン（作業機械）
１０  エンジン室
１１  エンジン
１１ｘ  駆動軸
１１ｙ  排気管（排気系）
１２  ファン（送風部）
２０  浄化室
２１  浄化装置
２１ｆ  フィルタ
２２  ファン（風量調整部，送風機構）
２５  温度センサ
３０  仕切り部材
３５ｘ  開口
３６  扉（風量調整部，移動部材）
５０  制御部
【図１】
2017053282.tif 000003
【図２】
2017053282.tif 000004
【図３】
2017053282.tif 000005
【図４】
2017053282.tif 000006